(57)【要約】【課題】機能機器の配置のばらつきがなく、前面の美観が向上した衛生設備ユニットを提供する。【解決手段】フレーム１の前面の主要部に前パネル５０が取り付けられ、その前面に小便器５１が設置されている。フレーム１の前面上部に、機能機器取付プレート３０，３０が設置されている。機能機器取付プレート３０は前パネル５０よりも若干後退している。フレーム１の上側に天板６０が設置されている。機能機器取付プレート３０の前面に表示装置３５、人体検知センサ３６、スピーカ３７、吊具３８等の機能機器が設置されている。機能機器取付プレート３０の張出部３３を取付プレート２８に対しボルト３４等によって固定し、この張出部３３を隠蔽するようにカバープレート４０，４２を設けている。【選択図】図５
2010281142.tif 000002
【特許請求の範囲】
【請求項１】
フレームと、
該フレームの前面側に設けられた前パネルと、
該フレームの上面側に設けられた天板と、
を備え、該前パネルに衛生設備が取り付けられた衛生設備ユニットにおいて、
該前パネルと天板との間に機能機器取付プレートが設置されており、該機能機器取付プレートの前面に衛生設備関連機能機器が設置されていることを特徴とする衛生設備ユニット。
【請求項２】
請求項１において、該機能機器は、前方から視認される表示装置、前方から操作される操作部、人体検知センサ、照明、香気発生器及び音声装置の少なくとも１種であることを特徴とする衛生設備ユニット。
【請求項３】
請求項１又は２において、前記機能機器取付プレートの左右方向の長さが８００ｍｍ以下であることを特徴とする衛生設備ユニット。
【請求項４】
請求項１ないし３のいずれか１項において、前記機能機器取付プレートは衛生設備ユニットの上方において、その衛生設備の左右幅よりも左右方向に長く延在していることを特徴とする衛生設備ユニット。
【請求項５】
請求項１ないし４のいずれか１項において、前記機能機器取付プレート前面の意匠が前パネルの意匠と異なることを特徴とする衛生設備ユニット。
【請求項６】
請求項１ないし５のいずれか１項において、前記機能機器取付プレートの前面は前パネルの前面よりも後退していることを特徴とする衛生設備ユニット。
【請求項７】
請求項１ないし６のいずれか１項において、前記機能機器取付プレートは、衛生設備ユニットの前方を向いた主板部と、該主板部の左右側辺から後方へ延出した側板部と、該側板部の後部から側方へ張り出した張出部とを備えており、
該張出部が前記フレームに留め付けられていることを特徴とする衛生設備ユニット。
【請求項８】
請求項７において、該張出部を隠蔽するカバープレートが該機能機器取付プレートと面一状に設けられており、
該カバープレートは衛生設備ユニットの前方から着脱自在となっていることを特徴とする衛生設備ユニット。
【発明の詳細な説明】
【技術分野】
【０００１】
本発明は、便器、洗面器、手洗器などの衛生設備を備えた衛生設備ユニットに係り、特に人体検知センサなど衛生設備に関連する機能機器の配置を改良した衛生設備ユニットに関する。
【背景技術】
【０００２】
凾状（又は側面視形状が逆Ｌ字形状）のユニットフレームをトイレルーム壁面に沿って設置し、このユニットフレームの前面に前板（前パネル）を固着すると共に、ユニットフレームの上面に天板を装着し、該前板の前面に小便器や洗面器等を取り付けた配管ユニットが広く用いられている（例えば、下記特許文献１〜３）。
【０００３】
この前板に人体検知センサ、液晶等の表示パネル、音声装置、香気発生器、擬音装置、傘などをかけるフック等の機能機器が設けられることがある。従来、機能機器を前板に設置するには、前板に穴をあけて取り付けるようにしている。工場で前板に取付開口の穴あけをする場合でも、穴位置がばらつくことがある。また、現場で作業者が穴あけする場合には、穴位置が大きくばらついたり見映えが悪くなるおそれがある。
【０００４】
なお、特許文献２には、配管ユニットのフレームの上側に別のフレームを設置し、この別フレームにバルブ、コントローラ等を設置することが記載されている。特許文献２の図３には、この別フレームの前面に、前板とは別体のパネルを設置することが記載されている。しかしながら、特許文献２では、人体検知センサは前板に設置されており、この別体パネルに人体検知センサや表示パネル等を設置することは示されていない。
【先行技術文献】
【特許文献】
【０００５】
【特許文献１】実開平６−６３６７１
【特許文献２】特開平９−２２８４５６
【特許文献３】実公平６−１６５７
【発明の概要】
【発明が解決しようとする課題】
【０００６】
上記のように、従来例では、前パネルに人体検知センサ等を設置する場合に位置がばらつき、見栄えが悪くなるおそれがあった。特に、複数の機能機器を前パネルに設置する場合、各々の位置がばらつくと、見栄えが悪化し易い。また、現場で前パネルに穴をあけて機能機器を取り付ける作業は、手間がかかり、施工期間が長くなる。
【０００７】
本発明は、上記従来の問題点を解消し、機能機器の配置のばらつきがなく、前面の美観が向上した衛生設備ユニットを提供することを目的とする。
【課題を解決するための手段】
【０００８】
請求項１の衛生設備ユニットは、フレームと、該フレームの前面側に設けられた前パネルと、該フレームの上面側に設けられた天板と、を備え、該前パネルに衛生設備が取り付けられた衛生設備ユニットにおいて、該前パネルと天板との間に機能機器取付プレートが設置されており、該機能機器取付プレートの前面に衛生設備関連機能機器が設置されていることを特徴とするものである。
【０００９】
請求項２の衛生設備ユニットは、請求項１において、該機能機器は、前方から視認される表示部、前方から操作される操作部、人体検知センサ、照明、香気発生器及び音声装置の少なくとも１種であることを特徴とするものである。
【００１０】
請求項３の衛生設備ユニットは、請求項１又は２において、前記機能機器取付プレートの左右方向の長さが８００ｍｍ以下であることを特徴とするものである。
【００１１】
請求項４の衛生設備ユニットは、請求項１ないし３のいずれか１項において、前記機能機器取付プレートは衛生設備ユニットの上方において、その衛生設備の左右幅よりも左右方向に長く延在していることを特徴とするものである。
【００１２】
請求項５の衛生設備ユニットは、請求項１ないし４のいずれか１項において、前記機能機器取付プレート前面の意匠が前パネルの意匠と異なることを特徴とするものである。
【００１３】
請求項６の衛生設備ユニットは、請求項１ないし５のいずれか１項において、前記機能機器取付プレートの前面は前パネルの前面よりも後退していることを特徴とするものである。
【００１４】
請求項７の衛生設備ユニットは、請求項１ないし６のいずれか１項において、前記機能機器取付プレートは、衛生設備ユニットの前方を向いた主板部と、該主板部の左右側辺から後方へ延出した側板部と、該側板部の後部から側方へ張り出した張出部とを備えており、該張出部が前記フレームに留め付けられていることを特徴とするものである。
【００１５】
請求項８の衛生設備ユニットは、請求項７において、該張出部を隠蔽するカバープレートが該機能機器取付プレートと面一状に設けられており、該カバープレートは衛生設備ユニットの前方から着脱自在となっていることを特徴とするものである。
【発明の効果】
【００１６】
本発明の衛生設備ユニットにあっては、前板と天板との間に機能機器取付プレートが設置され、この機能機器取付プレートの前面に人体検知センサ等の機能機器が設置されている。本発明によると、前板に穴をあけて機能機器を設けることが全く又は殆ど不要であり、複数の機能機器を設置する場合でも、これらを機能機器取付プレートに集約して設置することができる。
【００１７】
この機能機器取付プレートの前面に予め工場にて機能機器を取り付けておくようにすることにより、現場での機能機器設置施工の手間を大幅に簡略化することができる。
【００１８】
請求項３〜５のように、このパネルを左右に長く延在させたり、パネル前面の意匠を前板の意匠と異ならせることにより、機能機器を集約してパネルに設置していることが強調された、独得の美観が生じる。
【００１９】
請求項６のように、このパネルの前面を前パネルよりも後退させることにより、機能機器取付プレートと前パネルとの不連続感、別体感が感取されるようになり、上記の独得の美観が顕著となる。また、機能機器取付プレートの前面を前パネルよりも後退させることにより、前パネルを拭き掃除するときに機能機器に誤って雑巾などが触れ、誤作動をおこしたり設定値が意図せずに変更される事態が防止されるようになる。
【００２０】
請求項７，８のように機能機器取付プレートを設置した場合、天板を取り外すことなく機能機器取付プレートを着脱することが可能となる。請求項８によると、張出部が隠蔽されるので、美観が良好となる。
【図面の簡単な説明】
【００２１】
【図１】実施の形態に係る衛生設備ユニットの分解斜視図である。
【図２】図１のフレームの正面図である。
【図３】実施の形態に係る衛生設備ユニットの正面図である。
【図４】図３のIV−IV線断面図である。
【図５】図４のＶ部分の拡大図である。
【図６】実施の形態に係る衛生設備ユニットの左半分における天板を取り外した状態を示す平面図である。
【図７】別の実施の形態の説明図である。
【発明を実施するための形態】
【００２２】
以下、図面を参照して実施の形態について説明する。
【００２３】
［第１の実施の形態］
衛生設備ユニットとして、第１図〜第６図に示す小便器ユニットについて説明する。
【００２４】
第１図は小便器ユニットのフレーム及び機能機器取付プレート等を示す分解斜視図、第２図はフレームの正面図、第３図は小便器ユニットの正面図、第４図は第３図のIV−IV線断面図、第５は第４図のＶ部分の拡大図、第６図は天板を取り外した状態の一部平面図である。
【００２５】
この実施の形態では、フレーム１をトイレルームの床面Ｆと背壁面Ｂとの交差隅部に配設している。なお、この実施の形態では、フレーム１は左右の壁面Ｗ，Ｗ間に納まる左右方向長さとなっている。
【００２６】
このフレーム１は、側面視形状が逆Ｌ字形であり、その前面の主要部に前パネル５０が取り付けられ、該前パネル５０の前面に小便器５１が設置されている。フレーム１の前面上部に、機能機器取付プレート３０，３０が設置されており、その左右両側に隙間調整板を兼ねたカバープレート４０が配置されている。機能機器取付プレート３０及びカバープレート４０は前パネル５０よりも若干後退している。フレーム１の上側に天板６０が設置されている。
【００２７】
次に、このフレーム１の構成について第１，２，５図を参照して詳細に説明する。
【００２８】
このフレーム１は、複数本の縦材２，３，４，５，６，７と上辺の横材８及び下辺の横材９とによって前面の大部分が構成されている。
【００２９】
縦材３，４間及び縦材５，６間の下部には、小便器５１の下部を固定支持するための支持プレート１０が架設されている。
【００３０】
この支持プレート１０には、小便器５１の背面下部の排水口と係合する排水フランジ（図示略）の取付口１１が設けられると共に、フランジ固定用ビス孔１１ａと、小便器５１の下部を固定するためのボルト（図示略）のねじ込み用のめねじ孔１２が設けられている。
【００３１】
縦材３，４間及び縦材５，６間の上部には、小便器５１の上部を掛止支持するためのハンガー（図示略）の取付孔１４が設けられた支持プレート１３が架設されている。
【００３２】
縦材２，３間、縦材４，５間及び縦材６，７間には、補強用の横材１５が架設されている。支持プレート１０，１３の前面は縦材３，４及び横材８，９，１５の前面（フレーム前方側の面）と面一となっている。補強用の横材１５を設けることにより、フレームに前パネルを取り付けたときの前パネルの反りが抑制される。
【００３３】
第２図の通り、フレーム１の下辺の横材９には、フレーム１の設置高さ調節用のアジャスタボルト１６が設けられている。フレーム１の下部は、床面Ｆに固定されたアンカープレート１７に対しビス１８により固定される。
【００３４】
第１，５図の通り、上部の横材８からは、後方に短い延出材２０が複数本延設され、各延出材２０の後端に溶接等によって横材２１が固着されている。横材２１は横材８と平行に延在している。
【００３５】
この横材２１から上方に短く縦材２２が複数本立設され、縦材２２の上端に横材２３が溶接等によって固着されている。
【００３６】
横材２３は横材２１と平行となっている。縦材２２に沿って、板面を前方向き且つ鉛直方向とした取付板２８が設けられている。この取付板２８は、横材２１，２３に対し溶着等によって固着されている。取付板２８にはめねじ孔２８ａ（第２図）が設けられている。取付板２８は、フレーム１の左右両端部に１個ずつ配置されると共に、フレーム１の左右方向の中央部にあっては、縦材２２を挟んで左右に１対設けられている。
【００３７】
横材２３から後方に短い延出材２４が複数本延設されている。フレーム後方の壁面Ｂにはアングル材２５が取り付けられている。第５図の通り、このアングル材２５は、その後辺から垂下する垂下片２５ａと水平片を有した断面Ｌ字形のものであり、この垂下片２５ａがビス２６によって後壁面Ｂに固定されている。このアングル材２５の水平片に対し延出材２４がボルト又はビス留めされる。
【００３８】
このフレーム１にあっては、互いに平行な縦材２〜７と、互いに平行な横材８，９，１５とによってフレーム１の主要部が構成されており、この主要部から所定距離Ｌ（第５図）だけ後退して横材２１，２３及び縦材２２が配置されている。この距離Ｌは、第５図の通り、横材８の前面と横材２１，２３の前面との水平方向距離である。この距離Ｌは、３０〜５０ｍｍ特に約４０ｍｍ程度が好適である。
【００３９】
横材２１，２３及び縦材２２によって構成される、フレーム前面上部の後退領域の高さＨは１００〜１５０ｍｍ特に約１２５ｍｍ程度が好適である。なお、このＨは、横材８，２１の上面と横材２３の上面との鉛直方向の距離である。
【００４０】
このフレーム１の上部の後退領域に機能機器取付プレート３０が配置されている。このプレート３０は、フレーム１の前方を向いた、左右方向に長い平板状の主板部３１と、該
主板部３１の左端及び右端から後方に延出した側板部３２，３２と、該側板部３２，３２の後端から左右側方にそれぞれ張り出した張出部３３とを有する。張出部３３には小孔３３ａが穿設されている。
【００４１】
この機能機器取付プレート３０は、フレーム１の左端又は右端側の取付板２８と、中央部の取付板２８とに跨がる左右方向長さを有している。機能機器取付プレート３０は、張出部３３を取付板２８の前面に重ね合わせ、ボルト３４を小孔３３ａを通してめねじ孔２８ａにねじ込むことにより、フレーム１に固定される。
【００４２】
第５図の通り、機能機器取付プレート３０を取付板２８に固定した状態において、主板部３１の前面は横材８の前面と面一状となっている。この主板部３１の前面は、前パネル５０の前面から１０〜２０ｍｍ特に約１５ｍｍ程度後退していることが好ましい。なお、主板部３１の前面を横材８の前面よりも後退させてもよい。この場合には、横材８の上面を化粧面とすることが好ましく、また、横材８と前パネル５０との間の隙間が目立たないものとなるように仕上げ処理を施すのが好ましい。
【００４３】
主板部３１前面を横材８の後面よりも後方に位置させてもよい。この場合、主板部８と横材８との間の隙間を適宜の部材で隠蔽する。
【００４４】
第１図及び第３図の通り、この実施の形態では、機能機器取付プレート３０の主板部３１に機能機器として、液晶ディスプレイ、有機ＥＬパネル等の表示装置３５と、人体検知センサ３６と、音声を出力するためのスピーカ３７と、傘などを吊り下げるための吊具３８とが設けられているが、機能機器はこれらに限定されるものではない。例えば、照明、各種スイッチなどであってもよい。
【００４５】
この機能機器取付プレート３０の主板部３１の模様又は色彩は、前パネル５０の模様又は色彩と異なっている。このように意匠を異ならせることにより、機能機器取付プレート３０の存在が使用者に強く感取されるようになる。
【００４６】
第３，６図の通り、機能機器取付プレート３０と側壁Ｗとの間にカバープレート４０が配置され、機能機器取付プレート３０，３０同士の間にカバープレート４２が配置されている。
【００４７】
各カバープレート４０，４２は、第６図の通り、前面部４０ａ，４２ａと、前面部４０ａ，４２ａの左右両端から後方へ延出した延出片４０ｂ，４０ｃ，４２ｂ，４２ｃとを有したコ字形である。延出片４０ｂを側壁面Ｗに当接させると共に、延出片４０ｃを機能機器取付プレート３０の側板部３２に弾性的に当接させることによりカバープレート４０が機能機器取付プレート３０と側壁面Ｗとの間に設置される。また、延出片４２ｂを左側の機能機器取付プレートの側板部３２に当接させ、延出片４２ｃを右側の機能機器取付プレート３０の側板部３２に弾性的に当接させることにより、カバープレート４２が機能機器取付プレート３０，３０間に設置される。
【００４８】
カバープレート４０，４２の前面は、機能機器取付プレート３０，３０の前面と面一とされる。
【００４９】
各機能機器取付プレート３０の左右方向長さは、小便器５１の左右幅よりも大きい。機能機器取付プレートの左右方向長さは８００ｍｍ以下、例えば５００〜６００ｍｍ程度が好適である。
【００５０】
このフレーム１の横材８，９及び縦材２，７で囲まれる主要部前面にタイル張りパネル、化粧鋼板パネル等よりなる前パネル５０が取り付けられる。なお、フレーム１の前面下辺部には巾木部材（図示略）が取り付けられる。この前パネル５０の前面側に小便器５１が設置される。なお、図示は省略するが、横材８の前面に上向き爪状の係止フック片が固設され、前パネル５０の背面上部に係止片が固着されている。この係止片を係止フック片に対し上方から係合させるようにして前パネル５０がフレーム１に取り付けられる。第５図の通り、前パネル５０の上端面は横材８の上面と面一状とされる。
【００５１】
前パネル５０には、小便器５１の排水口及び給水口に対応する箇所に開口が設けられている。また、前パネル５０には、フレーム１の小便器係止用ハンガーに対応する箇所に開口が設けられている。
【００５２】
該ハンガーは該開口を通って前パネル５０の前面側へ突出している。このハンガーに対して小便器５１を直に掛止させる。なお、前パネル５０が十分な強度を有しているときには、ハンガーを前パネルに設けてもよい。
【００５３】
フレーム１の内部に排水管５２、給水管５３及び通気管５４が引き回されている。排水管５２は接続管５２ａを介して、支持プレート１０に取り付けられた排水フランジ（図示略）に接続されている。排水フランジの先端にはブチルゴム等の軟質ゴムよりなるガスケットが装着されており、小便器５１の排水口を該ガスケットに押し付けることにより、排水口と排水ソケットとが密結される。
【００５４】
給水管５３と小便器５１の給水口とは、フレキホース等の接続管によって接続される。この接続管と小便器５１の給水口との接続作業は、天板６０を取り外した状態で、フレーム１の上方から行われる。
【００５５】
小便器５１の設置及び小便器５１への配管接続が終了した後、天板６０をフレーム１上に設置し、壁面Ｂ，Ｗと天板６０との隙間を発泡シーリング剤や液状シーリング剤でシールする。
【００５６】
なお、第５図の通り、天板６０の下面と延出材２４及び横材２３の上面とにそれぞれ面ファスナ６１が設けられており、該面ファスナ６１同士を係合付着させることによって天板を取り外し可能に固定設置する。
【００５７】
天板６０の前縁は垂下片６０ａとなっている。この垂下片６０ａは機能機器取付プレート３０よりも前方に位置している。垂下片６０ａの下端は、機能機器取付プレート３０の上縁よりも若干（例えば３〜５ｍｍ程度）下位となっており、機能機器取付プレート３０と天板６０との隙間を隠蔽している。
垂下片６０ａの裏面は、前パネル５０の表面より前方に位置している。垂下片６０ａの下端が機能機器取付プレート３０及びカバープレート４０，４２の上縁より下位になっているが、プレート３０，４０，４２を斜めにしながら取り外すことができるようになっている。
【００５８】
このように構成された小便器ユニットにあっては、前パネル５０と天板６０との間に機能機器取付プレート３０が設置され、この機能機器取付プレート３０の前面に表示装置３５、人体検知センサ３６、スピーカ３７、吊具３８等の機能機器が設置されている。従って、前パネル５０に穴をあけてこれらの機能機器を設けることが不要である。また、各機能機器の位置が設計位置に正確に合致したものとなり、位置のバラツキによる美感の不調和が防止される。なお、前パネルに少数の開口を設け、少数の機能機器を前パネル５０に設置してもよい。
【００５９】
また、機能機器取付プレート３０の前面に予め工場にて機能機器を取り付けておくようにすることにより、現場での機能機器設置施工の手間を大幅に簡略化することができる。
【００６０】
この実施の形態では、この機能機器取付プレート３０を左右に長く延在させており、機能機器を集約して機能機器取付プレート３０に設置していることが強調された、独得の美観が生じる。
【００６１】
この実施の形態では、このパネル３０の前面を前パネル５０よりも後退させているので、機能機器取付プレート３０と前パネル５０との不連続感、別体感が感取されるようになり、独得の美観が得られる。また、機能機器取付プレート３０の前面を前パネル５０よりも後退させているので、前パネル５０を拭き掃除するときに機能機器に誤って雑巾などが触れ、誤作動したり設定値が意図せずに変更されたりする事態が防止されるようになる。
【００６２】
この実施の形態では、機能機器取付プレート３０の張出部３３を取付プレート２８に対しボルト３４等によって固定し、この張出部３３を隠蔽するようにカバープレート４０，４２を設けている。このカバープレート４０，４２は、延出片４０ｂ，４０ｃ，４２ｂ，４２ｃを壁面Ｗと機能機器取付プレート３０との間又は機能機器取付プレート３０，３０間に弾性的に差し込むことによって装着されており、ユニット前方から着脱自在となっている。このカバープレート４０，４２を取り外し、ボルト３４を外すことにより、天板６０を取り外すことなく機能機器取付プレート３０を着脱することができる。従って、機能機器取付プレート３０に取り付けられた各種機能機器の点検、修理、交換等を容易に行うことができる。
【００６３】
［第２の実施の形態］
第７図を参照して別の実施の形態に係る洋風便器ユニットについて説明する。第７図（ｂ）は洋風便器ユニットの正面図であり、第７図（ａ）は第７図（ｂ）のVIIａ−VIIａ線断面図である。
【００６４】
この実施の形態でも、トイレルームの床面Ｆと後壁面Ｂとの交差隅部にフレーム１Ａが設置されている。フレーム１Ａの構造は、前記フレーム１よりも縦材３，４，５，６，７の長さが短く、フレーム１よりも高さが低くなっていること、小便器接続用排水フランジの代わりに大便器接続用排水フランジが支持プレート１０に取り付けられていることを除いてフレーム１と同一である。
【００６５】
フレーム１に取り付けられた機能機器取付プレート３０Ａは、機能機器として、便器洗浄ボタン７０、スピーカ７１、人体検知センサ７２、香気発生器７３が設置されていること以外は機能機器取付プレート３０と同一である。プレート３０Ａには、擬音装置（流水音を流すスピーカー）等の他の機能機器を設置してもよい。
【００６６】
前パネル５０Ａは、フレーム１Ａに合致した寸法になっていること、排水ソケット用開口が給水管用開口を兼ねていることを除いて前パネル５０と同様の構成となっている。
【００６７】
この前パネル５０Ａの前面に洋風便器８０が取り付けられている。この洋風便器８０の後部上面に便座ボックス８１が設置され、この便座ボックス８１に便座８２及び便蓋８３が取り付けられている。左右の洋風便器７０，７０の間はブースパネル９０で仕切られている。
【００６８】
この実施の形態にあっても、前パネル５０Ａと天板６０との間に各種機能機器を備えた機能機器取付プレート３０Ａが設置され、この機能機器取付プレート３０Ａの主板部の意匠が前パネル５０Ａと別異であり、またこの機能機器取付プレート３０Ａが前パネル５０Ａから所定距離後退しているところから、上記第１の実施の形態と同様の効果が奏される。
【００６９】
［別の実施の形態］
本発明は、洗面器、手洗器、掃除流しなど各種の衛生機器を備えたユニットに適用することができる。
【００７０】
上記実施の形態では、ユニット前面に２個の便器が取り付けられるが、１個又は３個以上の衛生機器が取り付けられてもよい。また、２種以上の衛生機器が取り付けられてもよい。
【００７１】
上記実施の形態では、フレーム１，１Ａは逆Ｌ字形であるが、特許文献１，２のように直方体形の箱状であってもよい。
【符号の説明】
【００７２】
１，１Ａ  フレーム
２，３，４，５，６，７  縦材
８，９，２１，２３  横材
１０  支持プレート
２０  延出材
２５  アングル
２８  取付プレート
３０，３０Ａ  機能機器取付プレート
３１  主板部
３２  側板部
３３  張出部
３５  表示装置
３６  人体検知センサ
３７  スピーカ
３８  吊具
４０，４２  カバープレート
５０，５０Ａ  前パネル
５１  小便器
６０  天板
７０  洗浄ボタン
７１  スピーカ
７２  人体検知センサ
７３  香気発生器
８０  洋風便器
９０  ブースパネル
【図１】
2010281142.tif 000003
【図２】
2010281142.tif 000004
【図３】
2010281142.tif 000005
【図４】
2010281142.tif 000006
【図５】
2010281142.tif 000007
【図６】
2010281142.tif 000008
【図７】
2010281142.tif 000009